(57)【要約】      （修正有）【課題】多数のレンズを各面に施して一度に全景を撮像し、無理をせずに自然に撮影が出来る全景撮像装置を提供する。【解決手段】サイコロ型の筐体の六つの各面にレンズＲ１，Ｒ４，Ｒ５及びＣＣＤを設け、筐体の一つの面にレンズ及びＣＣＤではなく液晶画面を設ける。レンズＲ１，Ｒ４，Ｒ５から得た映像をＣＣＤで０と１に変換させ画像数値を送信してＳＤかＭＯＳに送り込まれ、貯蔵される。後に貯蔵された映像はナビに送信されるし更に直接モニターに立体画像が映し出される。【選択図】図１
0003191131.tif 000002
【実用新案登録請求の範囲】
【請求項１】
本考案は方形六面体のカメラである。レンズから受像された円錐切断面画像と方形画像との四接点で結像する画像はＣＣＤにより０と１に変換される。レンズから得たパノラマ画像と上方向の画像と下方向の画像の各三葉の画像をモニターに送信すると全景を想像出来る画像を見る事が出来る。又、ＣＣＤに得た三葉の画像はＳＤかＣＭＯＳに貯蔵されて後にモニター送信される。各円画像同志との重なりは目立たない。
【請求項２】
方形六面体の各六面に二個のレンズを施すと３Ｄの立体画像を得る。
カメラの各六面に色々の目的によって赤外線紫外線や望遠やズームやクローズアップや顕微やマイクロ等々のレンズや音声や振動感知や味覚等々の部品や多種多様多機能の諸装置を施すとそれらの目的通りの色々な画像と多機能なものを受像受信が出来る。
【請求項３】
本機器のレンズから受像した画面の部分か全面に個人情報を見る時は全て暈すか消すかの手段を施さなければならない。又、製作上で個人情報の画像や音声を暈すか消せない時は製作販売してはならない。顧客が使用中に個人情報が出た機器は直ちに実費で回収しなければならない。
【考案の詳細な説明】
【技術分野】
【０００１】    本考案は、監視カメラに関して考案した方形のカメラである。【０００２】    フイルムカメラ時代に実用新案登録第３１０７５３４号「多方位面鏡玉群機器」を拝受したが開発にはアナログの為に多額の開発費を要しても開発不能だった。【０００３】    近年はデジタルカメラ時代となったのでパノラマ画像が可能になり「全方位カメラ」も簡単に安価に大量に製作出来る様になったので本考案の方形六面体カメラを出願する。
【背景の技術】
【０００４】    昭和１８年頃に或る撮影目的の上空に来て百式自動航空写真機を搭載して二千五百米で撮影を開始した。６秒間隔で１シャッターの重ね撮りを繰り返し１０枚で転換しそれを１０往復する。その撮影滞空時間は約１０分も掛かった。空撮隊員達は「それでは撃ち落されてしまう」と嘆いて討議していた。
【０００５】    撮影したフイルムを暗室で現像し焼き付けし更にＢ４の印画紙を張り合わしてカメラで撮りしてそのフイルムを現像して写真にして漸く航空本部に届けました。約四時間  ！
【０００６】    ドイツから送られた「（公序良俗違反につき、不掲載）小型」写真機で斜めの撮影を３回から５回のシャッターの空撮をして滞空撮影時間の節約をして急いで持ち帰り同様に現像から同様に作成した縮小写真を航空本部に届けた。約三時間  ！
【０００７】    実戦では硫黄島陥落後の撮影が出来て翌日の新聞にニュースが出たのが最後でした。
【０００８】    戦後は必要に応じて観光写真や広告写真には写真専門技師達が無理をしてパノラマ写真を提供していた時代もありますが山岳連中のアマチャーの写真家達でも山頂制覇自慢とか趣味で山頂のパノラマ写真を公開していた時代もあった。
【０００９】    デジカメ時代になって最近は一眼のカメラ自体を動かしてパノラマ化出来る様になったり広角レンズで撮ったり魚眼レンズが出回る様になったが何れも一方向のレンズが一眼で撮影を研修している。
【００１０】    殆どの３６０度カメラの開発連中はネットの研究開発から広角度カメラを開発しているので複雑怪奇なＩＴ操作のテクニックを駆使して無理な研究開発をしている。
【００１１】    従来のカメラのメーカー達はカメラ自体をグルグル回したり動かしたり魚眼レンズで無理に撮影したりＰＣの技術を駆使して修正機器を取り付けたり難しい歪や微妙な歪曲画像等の欠陥を修正したりして製作している。
【００１２】    製作したカメラの色々な欠陥を隠して広告に掲載しないで謝罪もしていない。更に色々な部品を付けたり莫大な手間とコストを掛けて製作して売り出している様です。高価でも店頭に飾っているが売れていない様です。
【００１３】    ロボット開発の連中の中には全方位カメラを３６０度一周であると思い込み平然としている者達には呆れている。全方位とは３６０度でなく周囲３６０度と上方向と下方向との仮称７２０度の全方位である事を認識させなければならない。
【先行技術文献】
【００１４】
【特許文献１】    米国特許７１６１６１６Ｂ１号では複雑怪奇な全方位カメラを三菱電機が導入して開発しているがそのコストは莫大な高価なものです。それでも年間２０００台も購買が有る様に広告されている。
【００１５】
【非特許文献１】    諸外国でもその例に違わずドイツも英国もフランスも芳しくないし文献も出ているが最近は不況の為だと思うが売れていない。特に日本のカメラ企業達は従来の特許と共に身ぐるみ中国に転進し乗り込んで企業化しています。それは人件費の安さのみでカメラの新開発はしていない様だ。
【００１６】    カナダからは不動産屋の宣伝広告の為に高額で緻密な何百万の全方向カメラを特殊に発売しているが売れ行きは芳しくない。大衆は見るだけで買わない。
【００１７】    それらは写真機自体の原点の知識の研究すらもやらないでいきなりＩＴの知識を駆使して研究開発をしているから奇抜な製品の開発に成って仕舞っている感じです。
【００１８】    ＰＣの操作でグーグルマップの一眼カメラでグルグル回して見せている映像が脅威に感じている人達はこれぞ最高の映像だと称賛しているが全く全景・全方位を同時に見る事は出来ない。アイバッドやアップル等々を何台も持ち込む事は出来ない。
【考案の概要】
【考案が解決しようとする課題】
【００１９】    戦後十五年位経った頃からアナログフイルムカメラの復活が始まり大衆も容易く購入する様になり観光地等にもインスタントフイルム付カメラも安価に出廻る様になった。【００２０】    世界の全てがインターネットになって写真機器もフイルム時代からデジタル化した時になり一般大衆もデジカメを持つ事になりパソコンでその写真の処理も簡単に出来る様になってカメラ自体の知識も不要になり専門の写真館も激減して来た。【００２１】    東北大学の西沢純一郎教授が「光ファイバーの束が映像を通して転送される特許を取得したと朝刊に出ました。早速書店に行き特許出願の本を買って来て「後方の景色を光ファイバーで眼前に見る事が出来る」と実用新案登録願を出願しましたが「そんな夢の様な物は出来ない」と即却下されました。
【課題を解決するための手段】
【００２２】    上記を達成する為に「請求項１・２」に記載した様に色々な欠点や欠陥を補うために簡単で安価に開発出来るカメラとして方形カメラを考案したものである。本案のカメラでは六面に夫々二個のレンズを施すと３ｄの立体画像を得る様になり色々な機能のレンズも応用して映し出す様になる。【００２３】    本カメラの全景や部分の映像状況や物体等々を瞬時に把握確認出来る。【００２４】    本カメラはカメラ自体を固定し複数なレンズを使用する事でパノラマ・全周囲の景色・プラネタリュウム的な画像・周囲上下の全景を一度に見られるカメラを考案した。【００２５】    本カメラは立体画像を主としコンパクトで軽量であって気軽に撮れる。【００２６】    本カメラは軽量であり片手で持ち歩け物体の何処でも接着固定固着出来る。【００２７】    本カメラは模型や無人ヘリコプターや無線飛行機や風船等に紐で結びつけて空中に浮遊させながら撮影し手元のモニターに見る事が出来る。【００２８】    本カメラは乗り物の全ての本体外の何処でも貼り付け取り付けて自体の部分やその周囲の状況を把握察知できる。【００２９】    本カメラに紐を付けて宇宙船外に放り出し浮遊させて全宇宙を目的通りに撮影する事も夢ではない。
【課題を解決するための手段】
【００３０】    上記を達成する為に「請求項１・２」に記載した様に色々な欠点や欠陥を補うために簡単で安価に開発出来るカメラとして方形カメラを考案したものである。本案のカメラでは六面に夫々二個のレンズを施すと３Ｄ立体画像を得る様になり色々な機能のレンズも応用して映し出す様になる。
【考案の効果】
【００３１】    請求項に記載してある方形カメラは広域な全ての情景が一瞬に察知されて安全の為には自己防衛手段には無くてはならないものになりモニターのテレビやナビゲーションに映し出す画像は危険や事故の察知が出来て安全に回避する事が出来る様になる。【００３２】    従来の全方位カメラの殆どは一眼で複雑で難しい歪や丸みを強制的に修正の手段で正画像の表現に拘り莫大な費用と労力を費やし高価になり販売価格が膨大に増大して一般には殆ど売れていない。本案のカメラは修正なく正しい映像の全景を瞬時に簡単に映し出す。【００３３】    従来の全方位カメラの殆どは一眼でカメラ自体を動かすかレンズを回すかして無理な構造で煩雑に製作されている。本機器は全景撮像カメラとして簡単に制作出来るし乗り物の色々な部分の全ての箇所を一目で監視出来るし機器や不安を予測し発見し対処する事が出来る。【００３４】    一般の車両は明治以来車両の前側の両端や運転台の両横に「バックミラー」を取り付ける義務がある。それは両横の後部の一部分しか見えない。
最近は「１２０度バックカメラ」も出ている様だが周囲や上下の全て景色が見えるカメラは無い。【００３５】    その程度のバックミラーや１６０度のバックカメラだけではモータリーゼーションの世の中になっても事故は益々増えて減る事も無い。【００３６】    自衛隊の保有する車両には特に戦車があるが周囲上空の様子が判らないままで操縦している。別の司令官が状況を見ながら判断して操縦手に司令しながら進行している。反射鏡同志を多数使用して高額で複雑極まる装置で運転しているらしい。【００３７】    自衛隊の保有する車両や戦車や装甲車や船舶や飛行機等々その他の乗り物にはどんな安全監視機器を付けている筈でそれらのボディーの色々な部分には当然安全の監視機器を取り付けて運転操縦をしなければならない筈である。それらも全て電子のレーダーに頼って不安に対処しているものと思う。【００３８】    この頃は各家庭の玄関にはドァーホーンが付いているが部屋に居て訪問客の判定か音がしたので確かめてみるとかの程度でつけて監視しているがその全貌は見えない。【００３９】    この頃はアパートや団地やその周りの公園等の周囲の状況を見る監視機器は有る様だが周囲全体を見る物は無い。【００４０】    この頃のニュースで夜間のコンビニの強盗事件が出ますが予めストァーの周囲や出入り口に周囲の状況の全てが分かる赤外線の監視機器を付けて置けば良い。【００４１】    学校の通学道や遊園地や公園やスタジオ等々のあちらこちらに広く監視出来る物を設置して置けば少しでも防犯にならないかなぁと思います。【００４２】    海水浴場や海岸やプラットホーム等々集団で集まる広い場所等の事故防止の広く見る監視カメラが必要だと感じます。【００４３】    消防署も火の見櫓の望楼にはグルグル廻るカメラを付けているが瞬間に起こる火の手は見逃してしまうとか。本かめらを付ければ常に全部を見ているから瞬間に全てが分かる。【００４４】    自動車学校の運転練習機もバックミラーの死角が判らないので事故になる場合が有るので周囲が全部見る物が欲しいと話していた。【００４５】    潜水艦でも浮上しても監視兵が監視しなくても良い。鯨船も監視人や打撃者も望遠鏡程度で探索している程度だと聞いているがこのカメラで解決する。【００４６】    本考案の方形カメラはコンパクトで手軽で何時でも自由に持ち歩けて何処でも装着出来てモニターに転送が出来るのでカーナビメーカー達等の業者と提携すれば良いし専門  にナビゲーション機器の開発も同時に建設しても良い。【００４７】    最近は世界の車両が億万の費用を掛けて地図や方向やバックミラーや３６０度を見渡しながら運転者が居ないでハンドルを握らずに障害を避け衝突もしない様にドライブする研究をしている様だが未だ夢の世界の事で直ぐ実現する物ではない。それはユートピァの車両開発でしかないし大衆はとても贖う事が出来ません。本機器のその開発の目的から云えば健全なドライバー達は安価で簡単な手軽な本機器だけで９９％クリァーしている安価で手軽に買えるものである。
【産業上の利用可能性】
【００４８】    各家庭の玄関番的なドァーホーンにも玄関付近の状況を防犯の為にも本考案のカメラで具にグローバルに感知する必要がある。又、工場の内外の状況も見回りをしないでもモニターで監視しながら感知する事も必要である。それは街角や公園やスタジアム等々や交通も犯罪や事故や天候もグローバルに瞬間に知る必要がある。【００４９】    自衛隊が保有する車両や船舶や航空機等々の運転操縦にも自衛手段としてそれ等の周囲上下を監視しながら安全確保に務めると同時にその車体船体機体の全ての部分にも何時も管理する事が必要である。【００５０】    宇宙船内外も一方向の監視カメラは夫々の目的に応じて搭載しているが一目で全景を監視するカメラは搭載していない。本考案は船内の状況は勿論宇宙全体を全員で一度に観察監視する必要がある。そして宇宙の果も未だに判明していないのでそれを見るのも夢ではないだろうか。【００５１】    方形カメラを宇宙船外に放り出して瞬間に変化する全宇宙７２０度の映像を船内の液晶画面に見る事が出来る。又瞬間に船内の上下周囲の状況や環境を映し出す事が出来る。【００５２】    更に宇宙船外部や別の施設の全ての部分を瞬間に見る事が出来る。それ等の全ての映像を宇宙船の船長のみならず搭乗者全員で管理監視して状況の変化を見る事が出来る。【００５３】    宇宙船に凌ぎを削って搭載された従来のカメラの性能は高級競争でしかない。そのコストも莫大だったと思います。本機器には今までの搭載カメラの全ての特徴を具備すれば操作も監視状態も全てが集約されて簡単になる。【００５４】    従来の「全方位カメラ」や「全方向カメラ」等々を検索しても殆どカメラを固定したり回したり上から撮影したりしてバラバラでレンズの性質である正確に近い映像ではない。その為に本考案のカメラはデジタルを駆使して正確さと便利さを強調しました。【００５５】    本発明の様に固定したままでレンズを多量に使用して見る目の正しさを強調したものでありプラネテリューム館は大衆を一堂に集めて観覧鑑賞に帰するもので自由に映し出せないし研究開発も微細で難しくてとても安価には製造出来ない。【００５６】    幸いに若い１８才で航空偵察写真技手としてドイツの（公序良俗違反につき、不掲載）を取り扱う任務で自然に写真機器に親しむ様になり勉強して以来約６５年間仕事の合間に考え出願に至りました。【００５７】    ３．１１．の原発事故が起きました。２５年以前には福島の現地で原発工場を訪問しました。福島の原発工場を昭和６１年頃に訪問して「こんな怖い設備には１００〜２００台位の監視カメラや人間入場禁止カ所や何時何処で起きても対処出来るしあの時強く主張すれば数字を見に行くメーターや危険と思われる場所やカ所に監視機器を設定すべきで是非御願いします」と。若し採用していれば事故も半減か皆無では無かったかと思っています。
【図面の簡単な説明】
【００５８】
【図１】  第一図は方形カメラの原図Ａ第一図．である。Ｒ１．は天空を向いたレンズである。Ｒ２．Ｒ３．Ｒ４．Ｒ５．は夫々３６０度のパノラマになるレンズ列群である。Ｒ６は下方向の視写角９０度のレンズである。
【図２】  第二図のＲ１’．は第一図のＲ．１レンズから得た天空の画像である。Ｒ２’．Ｒ３’．Ｒ４’Ｒ５’．は第一図のＲ２．Ｒ３．Ｒ４．Ｒ５．のレンズから得た連続重ねパノラマ画像である。Ｒ６’．は第一図のＲ６．レンズから得た下方向の画像である。
【図３】  第三図は車両の屋根に第一図のＡ．を設定した方形のカメラである。Ｂは運転手の前に置かれたカーナビである。
【図４】  第四図は一例のカーナビゲーション機器図である。１（６）．は第一図のＡの１．のレンズから得た四倍の天空の画像である。ａ．ｂ．は本カーナビ機器の操作用スイッチのカ所である。１’（６’）は第一図のＲ１（Ｒ６）のレンズから得た特殊レンズの画像である。
【符号の説明】
【００５９】    Ｒ１．は天空から映像を得るレンズである。Ｒ２．Ｒ３．Ｒ４．Ｒ５．は連続パノラマ画像でＲ６．は下方向の画像である。従って第二図の符号は第一図から得た画像である。第三図は車両の屋根に方形カメラを装着させて第四図のナビゲーション器のモニターに映し出した機器図である。
【考案を実施するための形態】
【００６０】    モータリーゼーションのモットーは安全第一である。各自が乗って居る乗用車の屋根に本案のカメラを取り付けて目の前のナビかテレビか携帯に全景が映し出されれば全てが見えて運転が出来れば完全に安全運転が出来ます。
【００６１】    玄関番の様なドァーホーンにこのカメラを付ければその付近の全体の映像が見えるので全ての状況が確認できるしＳＤに音声も映像も保存してあれば後で記録が残ります。
【００６２】    最近の犯罪のテレビ画像で監視カメラの活躍が目立ちますがこれ等の遺贈が広範囲なら尚色々の捜査にもより役立つものと思います。
【００６３】    消防署の望楼にグルグル回して監視するテレビ画像がありますが一周するのに何分か掛かるので発見の時間が遅くなります。これは瞬間に発見出来るのでより重宝になります。
【００６４】    集合する人達の例えばプラットホームやスタジオや公園や建屋の周りの色々な場所の監視もより広く全体が判る防犯監視機器が必要です。
【００６５】    自衛隊の乗用車・トラック・戦車・装甲車・海陸兼用車・船舶・戦艦・潜水艦・水中探索機器・飛行機等々の乗り物類にも色々と貢献するカメラです。
【００６６】    従来の監視カメラは殆ど一眼のカメラで数台かそれ以上の広範囲の節約型カメラです。
【００６７】    人跡未踏の禁止区域や水中探索・有無人偵察機・アドバルーン・農薬散布有無人ヘリコプター等々やデンキメーターの竿先取付け監視機器にもそれらの貢献は計り知れない。
【００６８】    原子力発電所の特に入場禁止カ所には監視カメラが必要だが取り付けていない。事件後二・三か月してアメリカからロボットカメラを導入して色々と調べていたが役に立たなかった。
【００６９】    このカメラで近所の景色や花畑公園の景色等を撮影して（公序良俗違反につき、不掲載）やアイパッドや携帯やアップル機器等で送信する事も出来るのではないでしようか。
【００７０】    事故現場が置き易い場所の監視機器の据え付けには特にその周りの広い景色を撮る様な監視機器は必要であり自費を投じても設置したいと思います。
【００７１】    事故の現場もその箇所だけでなく周囲の状況もＳＤに残す必要があります。
【図１】
0003191131.tif 000003
【図２】
0003191131.tif 000004
【図３】
0003191131.tif 000005
【図４】
0003191131.tif 000006
【手続補正書】
【提出日】平成25年12月24日(2013.12.24)
【手続補正１】
【補正対象書類名】実用新案登録請求の範囲
【補正対象項目名】全文
【補正方法】変更
【補正の内容】
【実用新案登録請求の範囲】
【請求項１】
サイコロ型のカメラのレンズから常時撮られている映像は、ＣＣＤで ０と１に数値化された六分割平面画像か、二眼の焦点深度の立体画像か、二眼からの180度ラップ画像か、３６０度周囲画像か、上方向画像・パノラマ四画像・下方向画像の三分割画像か、各面に特殊な目的の交換ミニレンズで赤外・紫外線・望遠・ズーム・マイクロ・接着・顕微等々のレンズから得た画像や六感の聴覚・触覚・味覚等々の多機能の諸装置等を伴う画像かを、制御基盤をから無線のアンテナか印刷有線等でナビ機器に送信するか、ＳＤ・ＣＭＯＳチップ等に貯蔵されている画像を、後日、制御基盤を通してナビゲーション機器のアンテナか有線に送信して液晶面かスクリーンかに全画像を想像して見る事を特徴とする全景撮像装置。
【請求項２】
サイコロ型のカメラの一面を液晶面にして、請求項１ に記載の固定レンズや色々な目的の交換ミニレンズや特撮レンズ等から得た映像をＣＣＤで０と１とに数値化された  請求項１ に記載した諸画像を処理された画像等を、直接液晶面に映し出す事を特徴とする 請求項１ 記載の全景撮像装置。
【手続補正２】
【補正対象書類名】明細書
【補正対象項目名】全文
【補正方法】変更
【補正の内容】
【考案の詳細な説明】
【技術分野】
【０００１】本考案は、究極の形のサイコロ型のカメラでＳＤチップを保有する。【０００２】  請求項1は、Ａ．サイコロ型のカメラ（以後Ａ型カメラと称す）で全景を撮影して制御基盤を通し、アンテナでカーナビケーションに送信して液晶面かスクリーン等に画像を映し出す装置である。【０００３】  請求項２ は、Ｂ．サイコロ型のカメラ（以後Ｂ型カメラと称す）の一面を液晶にして、Ａ型カメラと同様な処理で、五画像を同時に撮影する事が出来るカメラである。【０００４】  本カメラは、多様な機能を持っていて、空中でも、地上でも、水中でも気軽に手軽に持ち歩けて、何処でも固定して撮影する事が出来る。【０００５】Ａ型カメラは、サイコロ型の各面のレンズから受像する映像をＣＣＤで数値化されて、制御基盤を通して有線か無線のアンテナでナビゲーションに規則正しく送信されて、液晶面かスクリーン等に映して見る事が出来る。【０００６】  Ｂ型カメラは、通常の一眼のデジカメの様にサイコロ型カメラの一面を液晶面にして、五面のレンズから得る映像をＣＣＤで数値化されて制御基盤を経て、直接その液晶面に規則正しく映し出すカメラである。【０００７】Ｂ型カメラは、固定レンズと交換レンズを保有して、個々の一画像・パノラマの三画像・特撮画像等々を同時に液晶面に撮れるカメラである。【０００８】  サイコロ型カメラは、複眼のレンズの焦点を合わすと、立体画像を得る。二眼の辺の映像をラップすれば、１８０度のパノラマ画像になる。通常のデジカメの様に個々のレンズで各画像が同時に撮れる。  四個レンズの画像をラップすれば、３６０度一周の画像が出来る。多種多機能な六感を伴う装置で、夫々の目的の通りの撮影が出来る。
【背景技術】
【０００９】人は、前しか見えない。後ろ側や左右を見る為には首や身体を回さなくてはならない。本案の全景撮影装置で、後ろ側や左右を見る事が出来る様なサイコロカメラを出願した。【００１０】実用新案登録  第３１０７５３４号「多方位面鏡玉群機器」を拝受したが、アナログのフイルム処理の為に、多額の費用を要し作成不能だった。【００１１】  Ａカメラの各面のレンズから得る映像は、ＣＣＤにより０と１に数値化されて制御基盤で自由に移動出来て音声や五感と共にアンテナで何処でも送信する事が出来、受像機器の液晶面やスクリーン面に映し出す事が出来る装置である。【００１２】  Ｂカメラは、一面を液晶面にして、五面のレンズで通常の一眼カメラを五台分の機能で、同時にシャッターする事が出来る装置である。【００１３】  本案のカメラは、複眼のレンズの焦点を合わすと、立体３Ｄ画像を得る。  本案のカメラは、二眼の辺を重ねると１８０度のパノラマ画像になり、四個の画像を重ねると３６０度一周の連続画像が出来る。  本案のカメラは、多種多機能な六感を伴うレンズを各面に施して夫々の特徴を生かして目的通りに自然に撮影が出来る。
【考案の概要】
【考案が解決しよとする課題】
【００１４】  各家庭の玄関には、部屋に居て訪問客の判別や認識出来るドアーホーンがあるが、その付近の全貌が見える監視カメラは無い。
【００１５】  団地やアパートや周辺の公園等には、全景全貌を見る防犯監視カメラは無い。
【００１６】  大小の色々な諸工場には、内外を管理する為の設備が有るが、本案の様な全般全貌を監視できるカメラは無い。
【００１７】  スタジオやスポーツドームの天井に本サイコロ型のカメラを取り付けると、全貌の映像が手元のテレビ画像で確認出来て隅々までの安全確保が出来る。
【００１８】  登山家達やタワーに上がり見渡す人達は、広い視野を何度も重ね撮りしなくてもワンシャッターで撮れるし、上空も総べての様子が撮れるカメラである。
【００１９】  消防署の火の見櫓や望楼には、グルグル廻るカメラを付けてテレビ画像かナビゲーションで監視しているが、瞬間に起こる火の手の発見には間に合わない。
【００２０】  車両は、明治以来「バックミラー」を付ける義務があり、「１２０度バックカメラ」も出たし、車両の周囲の道路のラインは見えるが全景色は見えない。
【００２１】  最近は、総て安全な手放し運転が出来る機能を持った車両をテレビで見たが、事故は免れない。矢張り、肉眼で上下周囲の全景色を見て運転する事である。
【課題を解決するための手段】
【００２２】Ａカメラは、受像機器と共に共存する。Ｂカメラは、通常のデジタルカメラである。ＳＤチップは、自己防衛や事故や犯罪防止や状況判断等の目的の画像保存の為に10時間以上を保有するものを使用しなければならない。
【００２３】団体スポーツでは、交換レンズのズームや望遠レンズにより一人一人の体調の良し悪しを確認が出来て、選手交代の選別指令が素早く容易く出来る。
【００２４】  B型は、同時に五方向の五個分の能力で撮像出来るカメラで、医学や食品や科学的なミクロ検査や機器設備等の分野に利用されるカメラである。
【００２５】  本カメラは、無人ヘリコプターや飛行機等に搭載し風船等に紐で結んで空中に浮遊させ撮影し、手元のモニターで地上の総べての景色が見える。
【００２６】  本カメラに紐を付けて、宇宙船外に放り出し浮遊させると、全宇宙の全景を見ながら一度に撮影出来る。
【００２７】  本機器を完全防水機器にして、水槽の漏れ箇所の搜索やカメラ以上のパイプに通して、液水の傷漏れ検査が出来、見ながら漏れ箇所の修理も出来る。
【００２８】  サイコロ型のカメラは、温度器や投光器を付けた防水カメラが通る大きさの立て穴を掘れば地下水の状態が手元のモニターで状況が色々と判る。
【００２９】  サイコロ型のカメラは、人跡未踏や禁止区域に本機器を置いて無線で液晶面にその周辺の様子や状態や何かを計測するメーターの数字も確認出来る。
【００３０】  本案のカメラは、目としてロボット開発に登用される事で、より良きその利用に拍車を掛けるものと期待している。
【００３１】  ＳＤチップの画像保存で、全てが完了後にその広範囲で微細な残像の画像が総べて見届けられる事が本機器開発の主眼である。  
【考案の効果】
【００３２】  サイコロ型のカメラは、広域な全ての景色が一瞬に撮影されて、自己安全防衛手段には最適のカメラであり、モニターに映し出す画像は、危険や事故がいち早く撮影出来察知出来て、危機を回避する事が出来、事後も解明出来る。
【００３３】自衛隊の保有する諸車両や戦車や装甲車や船舶や飛行機等々は、色々な計器やレーダー等と共に肉眼で本機器と共に見て安全運転が出来る。
【００３４】  自動車学校の練習用車両や試験機器は、視角が見えないバックミラーたけでは事故になるので周囲が全部見える物が欲しいと話していた。
【００３５】  下関港に寄港していた捕鯨船の船長や打撃者達は「レーダーや望遠鏡程度では・・・もう少し広域で全体が見える物はないかなぁ」と言っていた。
【００３６】世界中が個人情報問題で裁判沙汰になっているので、当然本考案の機器開発も徹底して研究検討してプライベートに対処すべき重要な課題である。
【図面の簡単な説明】
【００３７】
【図１】図１は、全景撮像装置のサイコロ型のカメラを示した説明図である。
【図２】図２は、液晶面に投影された上方向、四枚のパノラマ、下方向の三画像の原図である。
【図３】図３は、車両の屋根にサイコロ型のカメラを搭載して運転手の前のカーナビで全景を見る一例の図面である。
【図４】図４は、サイコロ型のカメラを搭載したカーナビの一例である。                  左の操作盤でズームを右では特殊撮影の操作をする。
【図５】図５は、通常のデジカメ能力の五台分のサイコロ型のカメラである。
【考案を実施するための形態】
【００３８】  本案のサイコロ型のカメラは、究極の形であり、従来の携帯カメラやデジタルカメラや持ち歩く色々なカメラを集約して、従来のカメラの性能や特性を失う事も無く手軽で軽量化にして、開発したものである。
【００３９】  本案のカメラは、複眼のレンズの焦点を合わすと、立体３Ｄ画像を得る。  本案のカメラは、二眼の辺を重ねるとワイドの１８０度のパノラマ画像になり、四個レンズの画像を重ねると３６０度一周の連続画像が出来る。  本案のカメラは、多種多機能な六感を伴うレンズを各面に施して夫々の特徴を生かして目的通りに撮影が出来て、残像も広範囲に確認出来る。
【００４０】消防署の火の見櫓や望楼にグルグル回して監視しているが、一周する間の画像は判らない。本監視カメラは瞬間に即発見して対処出来る。
【００４１】  従来の監視カメラは殆ど一眼カメラである。本カメラは数台かそれ以上の広範囲の撮影が出来る節約型のカメラである。
【００４２】無人偵察機や無人脳やヘリコプターや風船やアドバルーン等々に搭載して、本カメラを搭載すれば、手元のモニターで全景を撮影出来、残像が出来る。
【００４３】原発工場や密林の事故が起こり易いエリヤーの人跡未踏地域に本案のカメラを設置するか、無人ロボットに搭載すれば、手元のモニターで確認が出来て、後でＳＤチップの残像で見る事が出来る。
【実施例１】
【００４４】図３は、車両の屋根にサイコロ型のカメラを装着した一例である。図４は、図３はＢのカーナビゲーションの一例である。図５は、単眼デジカメの五台分の同時撮影が出来るサイコロ型カメラである。
【産業上の利用可能性】
【００４５】各家庭は、良く外に出掛ける事があるが何時も家の状況が気になる。本考案のカメラで遠隔操作して携帯かI T機器等の液晶機器で広く監視が出来る。【００４６】スーパーストアや工場の内外の状況もモニターで広範囲に監視出来る。  工場や各室や廊下や運動場等々の状況も事務所や監視室のモニターで詳らかに映るので安心して音声と共に総ての管理が出来る。【００４７】サイコロ型のカメラは、宇宙船員で起きている者が歩き回らなくても、宇宙船内外の隅々も動植物の観察も瞬時の行動も本機器で監視監督が出来る。【００４８】このカメラは、宇宙船外部や施設の全てや部分を見る事が出来るし、宇宙船の船長だけで無く搭乗者全員でスクリーンの総ての映像を見合う事が出来る。【００４９】３．１１の原発事故が起きたが、昭和６１年頃に福島の現地で原発工場を訪問して「こんな怖い発電所には人間入場禁止箇所や場所の周囲や何時何処で何が起きても見回らなくても１００台位の監視カメラで対処出来る。
【符号の説明】
【００５０】  Ａは、サイコロ型のカメラである。  Ｒ１  Ｒ４  Ｒ５  は、サイコロ型のカメラに取り付けたレンズである。  ＡＴは、アンテナ。  Ｒ１１  Ｒ１２  Ｒ１３  Ｒ１５  Ｒ１４  Ｒ１６  映像をＣＣＤで数値化された画像。ＳＤ  は、総ての残像の映像を、保存するチップである。Ｂ  は、カーナビゲーションである。  ＲＸ  は、交換ズームレンズから得た画像である。ＲＹ  は、特殊撮影レンズから得た画像である。Ｓ１１  は、ＲＸレンズを色々と操作する操作盤。Ｓ２１  は、ＲＹ特殊レンズを色々と操作する操作盤。ＲＡ  ＲＢ  は、交換レンズや赤外・紫外レンズである。ＲＣ  は、平面撮像レンズだある。ＲＤ  は、３Ｄの焦点を合わす立体レンズである。  ＭＳ  は、本機器の起動のスゥイッチである。
【手続補正３】
【補正対象書類名】図面
【補正対象項目名】全図
【補正方法】変更
【補正の内容】
【図１】
0003191131.tif 000007
【図２】
0003191131.tif 000008
【図３】
0003191131.tif 000009
【図４】
0003191131.tif 000010
【図５】
0003191131.tif 000011
【手続補正書】
【提出日】平成26年4月1日(2014.4.1)
【手続補正１】
【補正対象書類名】実用新案登録請求の範囲
【補正対象項目名】全文
【補正方法】変更
【補正の内容】
【実用新案登録請求の範囲】
【請求項１】
サイコロ型の筐体の六つの各面にレンズ及びＣＣＤを設けたことを特徴とする全景撮像装置。
【請求項２】
請求項１に記載の全景撮像装置において、前記筐体の一つの面にレンズ及びＣＣＤではなく液晶画面を設けたことを特徴とする全景撮像装置。
【手続補正２】
【補正対象書類名】明細書
【補正対象項目名】全文
【補正方法】変更
【補正の内容】
【考案の詳細な説明】
【技術分野】
【０００１】
本考案は、究極の形のサイコロ型カメラで、ＳＤかＣＭＯＳチップ等を保有する。
【０００２】
サイコロ型の筐体のカメラ（以後サイコロカメラと称す）のレンズから常時撮られている映像は、ＣＣＤで０と１に数値化された六分割画像か、二つのレンズの焦点深度で一致する立体画像になり、二つの映像を重ねると１８０度のパノラマ画像になり、一周四つのレンズから得た３６０度の画像になり、上方向・パノラマ四画像・下方向を、ナビかスクリーンに三画像にして仮称７２０度の全景を見る事が出来る。
【０００３】
サイコロカメラには、各面に色々な穴があり、特殊な目的のミニ交換レンズで赤外・紫外線・望遠・ズーム・マイクロ・接着・顕微等々を取り付ける。
【０００４】
サイコロカメラの内蔵の器具類には、五感の聴覚・触覚・味覚等々の多機能の諸装置等を伴う機能用具が設置されている。
【０００５】
サイコロカメラが受像した画像と筐体の内部装置の諸機能等は、制御基盤を経て、無線のアンテナか有線等で、ナビ機器の液晶面かスクリーン幕面に、全画像を見る事を特徴とする全景撮像装置。
【０００６】
サイコロカメラの筐体に内蔵されているＳＤ・ＣＭＯＳチップ等に貯蔵された画像と諸機能は、後日、制御基盤の有線か印刷配線を通して、受信機器の無線のアンテナか有線で受信して、ナビ機器の液晶面かスクリーン幕面に、全画像を見る事を特徴とする全景撮像装置。
【０００７】
請求項１は、Ａサイコロ型のカメラ（以後Ａカメラと称す）は、動く乗り物に搭載して、運転手・操縦者等の前面の液晶面かスクリーン幕面等に全景画像を映し出して見る装置である。
【０００８】
請求項２は、Ｂサイコロ型の型カメラ（以後Ｂカメラと称す）は、一面を液晶面にしたサイコロ型のデジタルカメラで、手軽に小型の付属品と共に纏めて持ち歩いて、五方向の映像か、個々か、夫々の方位を同時の目的で選定して、自由に撮影が出来る、デジタルカメラである。
【背景技術】
【０００９】
人間は、前面しか見えない。後ろ側や左右や下方を見る為には、首や身体を動かさなくてはならない。従って、Ａカメラで撮影して、液晶面かスクリーン幕面に写し出して見る様に考案した全景撮像装置を出願した。
【００１０】
実用新案登録  第３１０７５３４号「多方位面鏡玉群機器」を拝受したが、アナログのフイルム処理の困難と、多額の費用を要し作成不能だった。
【００１１】
Ａカメラを動く乗り物の屋根に固定して、運転者の眼前の液晶面かスクリーンの幕面に映し出して全景の画像を見ながら運転出来る装置である。
【００１２】
五角形カメラは五つのレンズの画像のラップが難しく、１２０度バックカメラは車庫入れ用で後方とその路面を見るし、全景のカメラの魚眼レンズでは、グルグル手で回して見るし、固定しても歪調整が大変だし、色々と無理をして製作している。当然、上・下画像は不可能だし全景は見えない。
【００１３】
Ｂカメラは、一面を液晶にして、五面のレンズで通常の一眼カメラを五台分の機能で、操作盤で色々とシャッター出来る万能デジタルカメラである。
操作盤で、一個か、焦点深度で二個の立体か、並列二個同時パノラマか、三個・・・夫々を連動して、同時シャッターも可能で、自由に出来る。
【考案の概要】
【考案が解決しようとする課題】
【００１４】
Ａカメラは、不安に動く乗り物の周囲上下の状況の自己防衛・災害・犯罪等を事前に発見して、回避する手段に使用される監視カメラである。瞬時の事象の貴重な状況証拠が残像されていて、全画像を見る唯一の手段となる。
【００１５】
Ｂカメラは、カメラマン達が、付属の色々なレンズや道具等を、大変な荷物で苦労をして担いて、歩きまわり撮影している。本考案のカメラは、小型で、軽便な筐体と小型の付属レンズ等を手軽に持ち歩けて、楽々と撮影が出来る。
【００１６】
大抵の各家庭の玄関にはドアホーンがあり、部屋でテレビを見ながら、訪問客の判別や認識をしている。Ａカメラは、その来訪者とその全景を同時に撮影して見ているから、周囲の状況も、同時に見る事が出来る。
【００１７】
団地やアパートや周辺の公園や色々な工場やマーケットやコンビニ等には、監視カメラがある。Ａカメラをその付近に設置すれば、付近の全景を監視する事が出来て、広域な防犯の主旨に適っているカメラである。
【００１８】
スタジオやスポーツドームの天井やロボット競技大会会場にＡカメラを取り付けると、全貌の映像が手元のテレビ画像で確認出来て、指令が出来て、隅々までの安全確保や勝利を導く事が出来る。
【００１９】
登山家達やタワーの客人達は、広い視野を何度も重ね撮りしているが、Ｂカメラの一押しだけで撮れば、３６０度も上空も下方向も総てが同時に撮れる。
【００２０】
消防署の火の見櫓や望楼の監視カメラは、カメラ自体をグルグル廻わして、テレビかナビの液晶面で見ている。Ａカメラは、何時も全景を監視できるから、瞬時に起こる火の手が素早く発見出来て、即、指令が出来る。
【００２１】
テレビで、手放し運転が出来る、安全な機能の車両の映像を見たが、事故は、免れない。矢張り、人間の肉眼で全景を見ながら、運転する事である。
【課題を解決するための手段】
【００２２】
Ａカメラは、受像機器と共に共存し、ＳＤ・ＣＭＯＳ等に広域な画像を保存する。Ｂカメラも、持ち歩く時に不意の事故や災害や犯罪等に遭遇しても、広範囲に撮影が出来て、事後その状況をＳＤ・ＣＭＯＳチップ等に保存される。又、操作盤のボタンで、撮影手段を変更出来るし色々な目的のスイッチ操作が出来て、自由に思い通りに、撮影が出来る。
【００２３】
頻繁に起きる海上の船舶や艦船の諸衝突事故も、Ａカメラを、その外板の周囲に色々な箇所に多数装着して監視していれば、事故は免れるし、無くなる。
【００２４】
サイコロカメラは、総てが同時に撮影出来る能力があるから、医学や食品や科学的なミクロ検査や機器設備等の分野にも利用される貴重なカメラとなる。
【００２５】
Ａカメラは、宇宙船外に紐を付けて放り出すと、全宇宙を同時に撮影が出来たり、無人ヘリコプターや偵察飛行機等に搭載し、風船等に紐で結んで空中に浮遊させて撮影すれば、手元のモニターで地上の総ての全景が見える。
【００２６】
夫々の諸全車両に本案のカメラを搭載して縦列走行する時は、車間距離も保持出来、割り込みも自然に出来、事故も無くなり、逸れても、回復し易い。
【００２７】
Ａカメラを完全に防水して、水槽の漏り箇所の捜索やパイプの中に通して、汚水の傷漏れ検査が出来るし、見ながら漏れ箇所の修理する事も出来る。更に、温度計や投光機器を付けて、立て穴に通すと、その地下水の状態が、手元のモニターに色々と詳細に、検知出来る。
【００２８】
色々な目的でダイバー達や海女さん達の頭上に着けて遊泳すれば、水中の景色が手元で見えて、探索や事故防止の支持も出来るし、深海船なら周囲の総ての詳細な全映像を、見る事も出来る。
【００２９】
Ａカメラを、人跡未踏や禁止区域に計器やメーター機器の周りに設置して、無線で液晶面にその周辺の様子や状態等の色々が詳らかに判る。それ等の数字や設置状態の様子も、確認出来る。
【００３０】
完全に防水したＡカメラを、船底のあっちこっちに取り付ければ、水中の全画像を見ながら安全運航が出来て、障害物も避けられるし、巻き付く海藻も牡蠣殻の付着状況も判り、事故の傷跡も状況も、ＳＤ・ＣＭＯＳチップ等の画像の保存で、全てが完了後に、広範囲で総てが見届けられるのが、開発の主旨である。
【００３１】
釣りマニアも、Ａ完全水中カメラと釣り道具と共有して、水中の全景の魚介類を見ながら釣れば、好きな魚の選定とか大漁も疑い無し。又、ダイバー達も頭に取り付けて水中を遊泳すれば、船上から指令が受けられる。
【００３２】
Ａカメラは、自己安全防衛手段には最適のカメラであり、モニターに瞬間に映し出して、付近の全貌全景の危機や事故をいち早く撮影察知が出来て、危機や事故を回避する事が出来るし、事後も総てが、解明に解る。
【００３３】
自衛隊の保有する諸車両・戦車・装甲車・船舶・飛行機等々は、色々な計器やレーダー等で操縦されているが、Ａカメラも同乗させて全体を目で見ながら、運転すれば、尚、一段と安全運転が出来る。
【００３４】
自動車学校の練習用車両や試験機器では、左右の後方が見えないバックミラーだけでは不安がある、全景が見える物が欲しいという要望がある。
【００３５】
捕鯨船の船長や打撃者達からは、「レーダーや望遠鏡程度では・・・」、「もう少し広域で全体が見える物はないかなぁ」という声がある。
【００３６】
今や、世界中が個人情報問題で裁判沙汰になっているので、当然この機器の開発も徹底して、プライベート問題に対処すべき重要な課題である。
【図面の簡単な説明】
【００３７】
【図１】図１は、全景撮像装置のＡカメラの説明図である。
【図２】図２は、液晶面に投影された上方向・下方向・四枚のパノラマの  三画像の原図である。
【図３】図３は、車両の屋根にＡカメラを搭載して運転手の前面の  カーナビで全景を見る一例の図面である。
【図４】図４は、Ａカメラを搭載したカーナビの一例である。
【図５】図５は、通常のデジカメの能力の五台分のＢカメラである。
【考案を実施するための形態】
【００３８】
サイコロカメラは、究極の形であり、従来の色々なカメラや携帯電話のカメラやデジタルカメラや付属品等の性能や特性等も失う事もなく装備されていて、手軽で、軽量化して、ミニに集約して開発されている。
【００３９】
サイコロカメラは、コンパクトなサイコロ型で、総て付属のズームレンズ等もミニ化されて、多種多機能な六感を伴う機器も内蔵されて、夫々の特徴を生かして目的通りに撮影が出来て、手軽に持ち歩きが出来て、車両・船舶・航空機・宇宙船・ロボット等に搭載が出来て、監視には欠かせないカメラである。
【００４０】
消防署の火の見櫓や望楼等には、一眼でグルグル回して監視しているが一周する時間の監視は判らないし、出来ない。Ａカメラは、固定されて常に映しているので、瞬間の映像も見逃さないし、ＳＤ・ＣＭＯＳチップに残像されて、何時でも監視の状態が検収出来る。
【００４１】
サイコロのカメラは、一台で数台分、又はそれ以上の価値があり、広範囲の撮影効果があり、節約型のカメラでもある。更に、ミニの特殊なレンズ交換により従来のカメラより手軽に簡単に持ち歩けたり、付け替えたり出来る。
【００４２】
Ａカメラを老人ハウス・育児所・集会所等の色々な場所に、個人情報に気を付けて取り付けて、管理室の受信装置で監視が出来て、個々の動向が判り、色々な不意の出来事に即、対処し、指示が出来る。
【００４３】
原発工場や密林の事故が起こり易いエリヤーの人跡未踏地域に、Ａカメラを設置するか、無人ロボットに搭載すれば、手元のモニターで即、確認が出来て、後でＳＤチップに保存した画像を見る事が出来る。
【実施例】
【００４４】
図３は、車両の屋根にＡカメラを装着した一例である。
図４は、図３のＢのカーナビゲーションの一例である。
図５は、単眼カメラの五台分の五方向の同時撮影や色々の小型の付属の
ズームや望遠レンズ等の撮影が出来るＢカメラである。
【産業上の利用可能性】
【００４５】
Ａカメラの遠隔操作で、携帯かＩ Ｔ機器等で留守にした我が家の状況を見ることが出来る。
【００４６】
スーパーストアやコンビニや工場の内外の状況も、モニタで広範囲に監視出来る。工場や各室や廊下や運動場等々の状況も事務所や監視室のモニターで詳らかに映るので、安心して音声と共に総ての管理が出来る。
【００４７】
Ａカメラは、宇宙船内で起きている者が歩き回らなくても、宇宙船内外の隅々も瞬時の行動も本機器で監視監督が出来、指示が出来、指令が出来る。
【００４８】
Ａカメラは、宇宙船外部や施設の全てや部分をとか様子を見る事が出来るし、宇宙船長だけで無く登場者全員でスクリーンの映像を見る事が出来る。
【００４９】
Ａカメラを完全防水で重りを付けて水中に入れて、総ての全状況の魚達を見ながら釣ることができ、楽しい釣りができる。船底の色々の箇所に取り付ければ、障害物の有無が判り、無事故の安全運行も確実に出来る。
【符号の説明】
【００５０】
Ａ は、サイコロ型のカメラ（Ａカメラ）である。
Ｂ は、カーナビゲーションである。
Ｒ１    Ｒ４    Ｒ５  は、サイコロ型のカメラに取り付けたレンズである。
Ｒ１１  Ｒ１２  Ｒ１３  Ｒ１５  Ｒ１４  Ｒ１６  映像をＣＣＤで数値化された画像である。
ＡＴ は、アンテナである。
ＳＤ は、総ての残像の映像を、保存するＳＤ・ＣＭＯＳチップである。
ＲＸ は、交換レンズから得た画像である。
ＲＹ は、特殊撮像レンズから得た画像である。
Ｓ１１は、ＲＸレンズを色々と操作する操作盤。
Ｓ２１は、ＲＹ特殊レンズを色々と操作する操作盤。
ＲＡ ＲＢ は、交換レンズや赤外・紫外レンズ等々である。
ＲＣ は、平面撮像レンズである。
ＲＤ は、３Ｄ の焦点を合わす立体レンズである。
ＭＳ は、本機器の機動のスイッチである。